【事件の表示】
　平成　８年特許願第２４２７０３号「ネマティック液晶の駆動方法」拒絶査定不服審判事件〔平成１０年　３月１０日出願公開、特開平１０−　６９２６０〕について、次のとおり審決する。
【結　論】
　本件審判の請求は、成り立たない。
【理　由】
第１．手続の経緯
　本件は、平成８年８月２６日の出願であって、平成１７年１２月２８日付け（平成１８年１月１７日発送。）で拒絶査定がなされ、これに対して、平成１８年２月１６日に拒絶査定不服審判の請求がなされるとともに、同年３月２０日付けで手続補正がされたところ、当審において、平成２０年８月１８日付け（同年９月２日発送。）で上記手続補正を却下するとともに、該手続補正の却下と同日付け（同年８月１９日発送。）で拒絶の理由（以下「当審拒絶理由」という。）を通知したところ、これに対して平成２０年１０月１７日付けで意見書が提出されたものである。
　
第２．当審拒絶理由通知の概要
　当審において平成２０年８月１８日付けで通知した拒絶の理由の概要は、
１）本件出願の請求項１に係る発明は、その出願前の平成８年１月３０日に日本国内において頒布された刊行物である特表平８−５００９１５号公報に記載された発明であるから、特許法第２９条第１項第３号に該当し、特許を受けることができない、
２）本件出願の請求項１に係る発明は、その出願前の平成８年１月３０日に日本国内において頒布された刊行物である特表平８−５００９１５号公報に記載された発明に基いて、その出願前にその発明の属する技術の分野における通常の知識を有する者が容易に発明をすることができたものであるから、特許法第２９条第２項の規定により特許を受けることができない、
３）本件出願は、明細書の記載が下記の点で、特許法第３６条第４項及び第６項第１号に規定する要件を満たしていない、
というものである。
　
第３．本願発明
　本願の請求項１に係る発明は、平成１７年６月２７日付けの手続補正により補正された明細書及び図面の記載からみて、その特許請求の範囲の請求項１に記載された事項により特定されるとおりのものと認められるところ、その請求項１に係る発明は（以下、「本願発明」という。）は、以下のとおりである。
「【請求項１】
　ネマティック液晶を用いたドットマトリックス型の液晶表示装置におけるネマティック液晶の駆動方法であって、
　１フレームを、第１の期間と第２の期間とに分け、
　前記第１の期間に画像を書き込むための電圧を前記ネマティック液晶に印加し、
　前記第２の期間に前記画像に関係のない一定の電圧を前記ネマティック液晶に印加し、
　これによって液晶パネル上の画像の表示と消去を１フレーム内で行うことを特徴とするネマティック液晶の駆動方法。」
　
第４．引用例記載の発明
　当審拒絶理由で引用され、本願の出願前の平成８年１月３０日に頒布された刊行物である特表平８−５００９１５号公報（以下、「引用例」という。）には、図面とともに、次の事項が記載されている。
　
（１）「１６．少なくとも実質的に透過状態と少なくともほぼ非透過状態とに駆動可能な光変調用画素の行および列のアレイと、前記表示パネルを照明して表示出力を生じる手段と、駆動手段であってこれに供給される所定のフィールドおよびライン速度を有するビデオ信号に従って前記画素を駆動することができる当該駆動手段とを具えるマトリックス表示システムの動作方法であって、前記画素の行が順次駆動され、前記供給されたビデオ信号の表示フィールドの表示情報が、ビデオ信号のフィールド周期よりかなり短い表示情報アドレス期間中に前記表示パネル内に書き込まれ、順次の表示情報アドレス期間がある時間間隔だけ分離されるマトリックス表示システムの動作方法において、前記表示パネルの表示フィールドが見る人に与えられる順次の期間が、ほぼ表示出力が生じない期間だけ分離されることを特徴とするマトリックス表示システムの動作方法。」（公報第４頁第１４行〜同頁第２５行。）
　
（２）「２１．請求項１６に記載の方法において、前記配列の画素を、前記順次の表示情報アドレス期間の間の時間間隔において、ほぼ非透過表示状態に駆動することを特徴とする方法。」（公報第５頁第９行〜同頁第１２行。）
　
（３）「本発明は、マトリックス表示システム、特に、例えばＴＶ画像を表示するビデオ表示システムと、このようなシステムの動作方法に関するものである。本発明は、光変調用画素の行および列アレイを有する表示パネルと、前記表示パネルを照明する手段と、供給されたビデオ信号に従って前記画素を駆動する駆動手段とを具え、行を個々のフィールド期間内に順次に繰り返して走査することによって、前記画素が一行を一度に駆動される、例えば液晶表示システムであるマトリックス表示システムに関係する。・・・動作時に、表示パネルを光源によって絶えず照明し、画素が供給されたビデオ情報に従って光を変調させ、表示出力を形成する。画素は、行および列アドレス導線に接続され、入力ビデオ信号を標本化して得たビデオ情報データ信号が列導線上の各画素に伝送されるように、選択信号により列導線を走査することによって、一行を一度に順次駆動される。あるフィールド周期内にすべての行をアドレスした後、この動作を、順次のフィールド周期内で各行をアドレスして繰り返す。これらの既知のシステムにおいて、走査の、従ってフィールドの周期は、入力ビデオ信号と、供給されたビデオ信号の速度に相当する表示パネルのフィールド速度との信号のタイミングによって決定される。例えば、ＰＡＬ ＴＶの場合、各々の画素の行は、６４マイクロ秒のライン期間内か、２０ミリ秒毎に１回生じフィールド期間に等しい順次のライン期間の時間間隔内にアドレスされる。特にアクティブマトリックス表示装置の場合、画素は、電荷が画素上に格納されるように効果的に分離されているので、画素によって形成された表示効果は、画素がその後のフィールド周期内で次にアドレスされるまで十分に維持される。
　例えばＴＦＴまたはＭＩＭとツイストネマチック液晶材料とを使用するアクティブマトリックスアドレスの使用は、例えばグレイスケール、コントラストおよび輝度といった、ある程度満足すべきであるビデオ表示に要求される条件の多くを実現する。見た目を満足させるために、表示システムは、ＴＶやコンピュータが生成した画像に見られる素早く動く像に関して良好な表示品質を与えられるようにすべきである。この点において、動いている像を表示している場合に生じるボケまたはスメアリング現象に関しては特に改善が必要である。」（公報第６頁第３行〜第７頁第６行。）
　
（４）「駆動レベルの変化後に画素の透過率が安定するまでに要する時間は、重要であるはずであり、典型的な表示パネルにおいて、パネルが供給されたビデオ（ＰＡＬ）信号のフィールド速度に等しい５０Ｈｚのフィールド速度において駆動され、駆動レベルを例えば９０％の透過率から１０％の透過率に変化させた場合、画素がその時の透過率に安定するために数フィールドを占めるであろうことが分かっている。この点において改善したアクティブマトリックス液晶ビデオ表示装置の駆動方法が、欧州特許出願公開明細書第０４８７１４０号に記述されている。この方法において、画素は、供給されたビデオ信号のフィールド速度より速いフィールド速度において駆動される。例えば、供給されたビデオ信号が、フィールド速度が各々５０Ｈｚおよび６０ＨｚのＰＡＬまたはＮＴＳＣ ＴＶ放送信号からなる場合、表示パネルのフィールド速度を１００Ｈｚおよび１２０Ｈｚに各々増すことができる。これは、駆動（ビデオ）レベルの変化後に画素の透過率が安定するまでに要する時間を明らかに短縮させることが分かっている。この方法は、スミアリング現象に関しては明らかな改善をもたらすが、シャープネスの不足またはボケの形をとるある程度の好ましくない視覚現象が、特に動いている物のエッジにおいて依然として生じる恐れがあることが分かっている。」（公報第７頁第８行〜第２３行。）
　
（５）「本発明の目的は、動いている像を表示している場合の表示品質を改善したマトリックス表示システムと、動いている像を表示している場合の好ましくない視覚現象の問題を軽減するのに役に立つマトリックス表示システムの動作方法とを提供することである。」（公報第７頁第２４行〜同頁第２７行。）
　
（６）「本発明の一実施例によれば、少なくとも実質的に透過状態と少なくともほぼ非透過状態とに駆動可能な光変調用画素の行および列のアレイと、前記表示パネルを照明して表示出力を生じる手段と、駆動手段であってこれに供給される所定のフィールドおよびライン速度を有するビデオ信号に従って前記画素を駆動することができる当該駆動手段とを具えるマトリックス表示システムであって、前記駆動手段が前記画素の行を順次駆動でき、前記供給されたビデオ信号の表示フィールドの表示情報が、ビデオ信号のフィールド周期よりかなり短い表示情報アドレス期間中に前記表示パネル内に書き込まれ、順次の表示情報アドレス期間がある時間間隔だけ分離されているマトリックス表示システムにおいて、前記表示パネルの表示フィールドが見る人に与えられる順次の期間が、ほぼ表示出力が生じない期間だけ分離されるようにマトリックスシステムを動作できるようにしたことを特徴とするマトリックス表示システムが与えられる。」（公報第７頁第２８行〜第８頁第１１行。）
　
（７）「本発明によって、動いている像を表示している場合に知覚されるボケまたは細部の欠落の量は、大幅に減少する。ボケ現象は、画素の物理的な応答特性に加えて、ある程度、精神的な視覚の規準のせいであることが分かっている。本発明に従って動作される表示システムによって、動いている像の知覚される解像度を改善する「暗い」期間が、パネルの順次の表示フィールドの見る人への表示の間に挿入される。」（公報第８頁第２４行〜同頁第２９行。）
　
（８）「特に、動いている像の順次の表示間の暗い期間によって生じる中断は、大変重要である。表示フィールドが供給されたビデオ信号のフィールド周期に等しい持続時間であるような従来の駆動設計において中断期間は存在しなかった。実際には表示画像は、フィールド周期の間保持されており、これは、動いている像が含まれる場合、人間の視覚システムによってボケとして解釈される。」（公報第９頁第２行〜同頁第７行。）
　
（９）「好適には、表示情報アドレス期間および時間間隔を合わせた持続時間を、供給されたビデオ信号のフィールド周期に相当させる。簡単にそして便利にするために、アドレス期間および時間間隔を、ビデオ信号のフィールド周期の半分にほぼ相当する持続時間に各々してもよい。あるいは、実際には、ビデオ信号フィールド期間内に表示パネルによって連続して２回同じ表示フィールドが与えられるため、２つの順次のフィールド情報アドレス期間および２つの間隔を、ビデオ信号の１フィールド期間の持続時間に相当させることもできる。」（公報第９頁第１８行〜同頁第２５行。）
　
（１０）「本発明によるマトリックス表示システムの第１の好適な実施例において、駆動回路は、照明手段に接続され、前記時間間隔の少なくとも一部の間表示出力を形成し、前記アドレス期間の少なくとも一部の間、ほぼ表示出力を形成しないように照明手段の光出力を制御する制御手段を含む。」（公報第１０頁第１行〜同頁第４行。）
　
（１１）「本発明によるマトリックス表示システムを動作する方法の第１の好適な実施例において、表示パネルを照明する照明手段の動作を、前記時間間隔の少なくとも一部の間、表示出力を形成し、前記アドレス期間の少なくとも一部の間、ほぼ表示出力を形成しないように制御する。これらの第１の実施例において、パネルの照明を周期的に、例えば光源をオンとオフとで点滅させることによって、前記「暗い」期間を、パネルの連続する表示フィールドの見る人への表示間に挿入して、知覚される動いている像の解像度を向上させる。表示パネルを、画素がアドレスされない間隔の間、活動させないでおくことができる。一方、しかしながら、表示パネルを、欧州特許出願公開明細書第０４８７１４０号に記述されているのと同様の方法で、同様の有利な効果をもって、前のアドレス期間内で使用したのと同じ表示情報をこの間隔内で再び供給することによって再アドレスしてもよい。」（公報第１０頁第５行〜同頁第１７行。）
　
（１２）「本発明によるマトリックス表示システムの第２の好適な実施例において、駆動回路は、順次の表示情報アドレス期間の間の時間間隔において、画素の配列を、ほぼ非透過表示状態に駆動することができる。・・・この第２の実施例において、順次の表示情報アドレス期間の間の時間間隔において画素をほぼ非透過、すなわち黒に駆動することによって、順次の表示フィールドの見る人への表示の間に上述した「暗い」期間が挿入され、知覚される動いている物の解像度が改善される。表示パネルを、動作中に絶えず照明してもよい。しかしながら好適には、照明手段を前記時間間隔の間、オフにするか、少なくとも比較的低い光出力レベルに切り換える。すると前記暗い期間の暗さは強調され、コントラストが改善される。表示パネルを、例え、照明手段を、前記時間間隔の後の方の一部と次のアドレス期間の最初の部分とを具える期間に対して照明手段をオフまたは少なくとも比較的低いレベルに切り換え、従ってパネルの照明をアドレス期間の後の方の一部と前記時間間隔の最初の部分とに限定し、パネルからの順次の表示間の有効な休止期間をさらに増加させるのが好適であるとしても、アドレス期間の持続時間の間照明してもよい。パネルの断続的な照明は、パネルの駆動に同期して照明に供給される光源をオンおよびオフに点滅させることによって行うことができる。・・・前記時間間隔の間、好適には画素の配列の行を、画素を表示情報によってアドレスしたのと同様な方法で行毎に、または行の組毎に、ほぼ非透過状態に個々に順次駆動する。・・・画素を非透過状態に駆動する時間間隔内に、代わりの方法、例えば、配列中の画素をほぼ同時にこの状態に設定する方法を使用することも考えられる。しかしながらこのような方法は、駆動回路を大幅に変更する必要がある。これらの好適な実施例の双方において、好適にはアドレス期間とそれに続く時間間隔とを合わせた期間を、供給されたビデオ信号のフィールド周期にほぼ相当させる。アドレス期間および時間間隔を、便利で簡単にするために、各々ビデオ信号のフィールド周期のほぼ半分に相当する持続時間にしてもよい。しかしながら好適には、２つの連続するアドレス期間およびその２つの時間間隔を、ビデオ信号のフィールド周期の持続時間に一致させれば、実際には同じ表示フィールドが１ビデオ信号フィールド周期内で表示パネルによって連続して２回表示される。」（公報第１０頁第２８行〜第１２頁第１４行。）
　
（１３）「表示パネル１０を、一方の側に配置した小型低圧蛍光灯を具える光源１９によって照明し、光源からパネルに入射する光を、画素１２の透過特性によって適切に変化させ、パネルの他方の側に可視表示出力を生成する。液晶材料が、画素を通過した光を、その両端間に印加された電圧に従って変調させると共に、各画素は、パネルを通過した光を、その各々の画素の両端間に印加された電圧に従って変化させることができる。画素は、印加された電圧のレベルに従って動作し、ほとんど透過しない、すなわち黒から、ほぼ完全に透過する、すなわち白のレベルまで変動する、複数の透過レベルを形成する。標準的なやり方に従って、行導線１４を選択信号によって順次に走査してＴＦＴの各行を順次にターンオンさせ、ゲート信号と同期して画素の各行に対する列導線にデータ信号を適切に供給することにより、パネルを時間軸で行毎に駆動し、完全な表示画像を構成する。ＴＶディスプレイの場合、画素の各行にＴＶラインの画像情報信号を供給する。１行を一度にアドレスすると、アドレスされた行の全てのＴＦＴ１１は、選択信号の持続時間によって決定される行アドレス期間に対してスイッチオンされ、その間、キャパシタが列導線１６上のビデオ情報信号の電圧レベルに従って充電される。その後、選択信号の終了によって、この行のＴＦＴはターンオフし、それによって画素は導線１６から絶縁され、画素に供給された電荷は、画素が次のフィールド期間において再びアドレスされるまで蓄積されるようにする。」（公報第１４頁第３行〜同頁第２０行。）
　
（１４）「選択信号を行導線にＴＶラインと同期して順次供給し、各選択信号がＴＶライン周期Ｔ１と等しい、またはそれより短い周期を有する、例えば６４マイクロ秒のＴＶライン周期を有する半解像度ＰＡＬ標準ＴＶ表示の場合、各行導線が２０ミリ秒の間隔で選択信号を供給されるようにする従来の駆動方法とは異なり、表示パネル１０を、入力ビデオ、ＴＶ信号のライン速度より速いライン速度で駆動する。欧州特許出願公開明細書第０４８７１４０号において、例えば供給されたＴＶ信号の２倍速いフィールド速度で表示パネルを駆動する、アクティブマトリックスＬＣディスプレイ装置の駆動方法が記述されている。この方法において、表示パネルの画素を、１ＴＶ信号フィールド周期に等しい周期内で同じ表示情報によって２回ロードする。これを達成するために、ビデオ信号をフィールド記憶装置に供給し、供給されたＴＶ信号のライン速度の２倍の速度でパネルを走査して、その内容を１標準ビデオ周期の間に２回連続して表示パネルに読み出す。これは、２０ミリ秒のフィールド周期と５０Ｈｚのフィールド速度とを有するＰＡＬ ＴＶ表示信号の場合、表示パネルのフィールド周期が１０ミリ秒に短縮され、フィールド速度が１００Ｈｚに変換されることを意味する。図１および２に示すシステムの実施例の表示パネル１０の画素は、ある程度幾つかの類似点を持った方法で駆動される。再び図１および２を参照して、入力端子２５からビデオ信号を、アナログディジタル変換器２７および切り換えスイッチ２８を経て、ＴＶフィールド全体に関するディジタル化されたビデオ信号を保持する２個のディジタルフィールド記憶装置３０および３１の一方に供給する。切り換えスイッチ２８を回路２１によって、ＴＶフィールド信号が記憶装置３０および３１に交互に記憶されるように動作する。一方の記憶装置、例えば記憶装置３０がロードされている間、他方の記憶装置３１の内容を読み出し、同様に回路２１によって制御される切り換えスイッチ３２と、ディジタルアナログ変換器３３とを経て、ビデオ処理回路２４に供給する。一方の記憶装置内に格納された信号を、ライン毎に回路２４に読み出し、各ラインの読み出しは、ＴＶライン周期の半分を要する。」（公報第１５頁第１１行〜第１６頁第７行。）
　
（１５）「行駆動回路２０は、ＴＶフィールドに関するデータ信号の供給に同期した従来の速度の２倍の速度において行導線を走査する。したがって、１ＴＶフィールドに関するデータは、ＴＶ信号フィールド周期の半分の周期内で表示パネルにロードされる。各行の画素がロードされた後、非選択信号を個々の行導線に供給し、この行のＴＦＴをオフに保ち、したがって記憶された書き込み表示情報を有する画素を分離する。ここまでは、図１および２のシステムの実施例の構成および動作方法は、大体において等しい。」（公報第１６頁第８行〜同頁第１４行。）
　
（１６）「ここで図２のシステムの実施例を考えると、…ＴＶ信号フィールド周期の半分から成る表示情報アドレス期間内で１ＴＶフィールドに関するデータを表示パネル１０に書き込むのに続いて、画素の配列を、ＴＶ信号フィールド周期の残りの半分から成る期間内に再びアドレスしてほぼ非透過（黒い）状態に駆動する。これを達成するために、ＴＶフィールド期間の後半に等しいこの期間の間に、間隔の開始とほぼ一致する第１の行導線の選択信号によって、選択信号を行駆動回路２０によって各行導線に順番に再び供給する。この期間が続いている間、画素をほぼ非透過状態に駆動するように選択される予め定めた基準電圧ＶBを列導線１６の各々に印加する。基準電圧を、列駆動回路２２の出力端子と列導線の組との間に接続され、回路２１によって供給される切り換え信号Ｓの制御のもとに、列導線を行駆動回路の出力と基準電圧との間で切り換える切り換え回路３５によって印加する。行導線を、あらかじめ、画素の行が時間間隔の終了時に最終行が完了するまで順番にほぼ非透過状態に設定されるように、選択信号によって同じ速度において走査する。したがって１ＴＶフィールド周期において、２つの表示情報アドレス期間、すなわち、画素を液晶表示状態に駆動する表示情報アドレス期間と、それに続く、画素をほぼ非透過状態に駆動する時間間隔とが存在する。ＴＶフィールド期間の終わりにおいて、再びＴＶ信号のフィールド速度の２倍の速度において、通常の２倍の速度における行導線の走査に同期して次のＴＶフィールドを第１の記憶装置にロードしている間、次のＴＶフィールドに関するデータ信号が他の記憶装置から回路２４に読み出されるように、切り換えスイッチ２８および３２を動作する。この次のフィールドを表示パネル内にロードした後、以前のようにＴＶフィールド周期の残りの後半内で、ほぼ非透過表示状態に再び駆動する。この動作方法を、順次のＴＶフィールドに対して繰り返す。したがって、表示パネルの動作は、各々がＴＶ信号フィールド周期のほぼ半分、例えば１０ｍｓに相当する連続したほぼ等しい期間を必要とし、一つ置きの期間は、画素が各々のＴＶフィールドに関する表示情報によってロードされる間の第１の表示パネルフィールド期間を構成し、それらの間の時間間隔は、配列の画素を黒い状態に駆動する間の第２の表示パネルフィールド期間を構成する。これを図４に図式的に示し、ここでＴは時間を表し、Ｆ（Ａ）からＦ（Ｄ）は供給されたＴＶ信号ＶＳの４つの連続するフィールド期間を示す。表示パネルの動作期間の相対的なタイミングＤＰは、ｆ（Ａ）からｆ（Ｃ）が第１の表示パネルフィールド（表示情報アドレス）期間を示し、期間ｆ′がそれらの間の第２の表示パネルアドレス期間を示す。」（公報第１８頁第７行〜第１９頁第１３行。）
　
ア．上記摘記事項（１）及び（３）ないし（５）、（７）から、シャープネスの不足又はボケの形をとるある程度の好ましくない視覚現象が、特に動いている物のエッジにおいて生じることを改善することを目的として、ツイストネマチック液晶材料を用い、行および列のアレイを有する液晶ディスプレイシステムにおけるツイストネマチック液晶材料を用いたマトリックス表示システムの動作方法を、読み取ることができる。
　
イ．上記摘記事項（７）及び（１５）ないし（１６）における  「上述したようなＴＶ信号フィールド周期の半分から成る表示情報アドレス期間内で１ＴＶフィールドに関するデータを表示パネル１０に書き込むのに続いて、画素の配列を、ＴＶ信号フィールド周期の残りの半分から成る期間内に再びアドレスしてほぼ非透過（黒い）状態に駆動する。・・・この期間が続いている間、画素をほぼ非透過状態に駆動するように選択される予め定めた基準電圧ＶBを列導線１６の各々に印加する。・・・したがって、表示パネルの動作は、各々がＴＶ信号フィールド周期のほぼ半分、例えば１０ｍｓに相当する連続したほぼ等しい期間を必要とし、一つ置きの期間は、画素が各々のＴＶフィールドに関する表示情報によってロードされる間の第１の表示パネルフィールド期間を構成し、それらの間の時間間隔は、配列の画素を黒い状態に駆動する間の第２の表示パネルフィールド期間を構成する。」との記載から、１ＴＶ信号フィールドを第１の表示パネルフィールド期間と第２の表示パネルフィールド期間とで構成し、第１の表示パネルフィールド期間では、画素が各々のＴＶフィールドに関する表示情報によってロードされ、該画素を液晶表示状態に駆動し、第２の表示パネルフィールド期間では、画素に基準電圧ＶBを印加するために、画像の表示とほぼ表示出力が生じない期間だけ分離するためのほぼ非透過（黒い）状態に駆動するように選択される予め定めた基準電圧ＶBを列導線１６の各々に印加することを１ＴＶ信号フィールド内で行うことを、読み取ることができる。
　
ウ．上記摘記事項（１２）から、順次の表示情報アドレス期間の間の時間間隔において画素をほぼ非透過、すなわち黒に駆動し、このとき、表示パネルの動作中照明をオンしておいてもよいが、暗い時間の暗さを強調してコントラストを改善するために、表示アドレス期間の間の時間間隔において、オフにするか、少なくとも比較的低い光出力レベルに切り換えるようにすることが好適であるとの構成を、読み取ることができる。
　
エ．上記摘記事項（１５）及び（１６）から、行駆動回路２０が、ＴＶフィールドに関するデータ信号の供給に同期して従来の速度の２倍の速度で行導線を走査し、ＴＶ信号フィールド周期の半分からなる表示アドレス期間内で１ＴＶフィールドに関するデータを表示パネルに書き込むのに続いて、画素の配列を、ＴＶ信号フィールド周期の残りの半分からなる期間内に再びアドレスしてほぼ非通過（黒い）状態に駆動することにより、表示パネルを画素が各々のＴＶフィールドに関する表示情報によってロードされる間の第１の表示パネルフィールド期間と、それらの間の時間間隔は、配列の画素を黒い状態に駆動する第２の表示パネルフィールド期間とで動作させる構成を、読み取ることができる。
　
　したがって、上記摘記事項（１）乃至（１６）の記載からみて、引用例には、以下の発明が記載されているものと認められる。
「ツイストネマチック液晶材料を用い、行および列のアレイを有する液晶ディスプレイシステムにおけるツイストネマチック液晶材料を用いたマトリックス表示システムの動作方法において、
　第１の表示パネルフィールド期間では、画素が各々のＴＶフィールドに関する表示情報によってロードされ、該画素を液晶表示状態に駆動し、
　第２の表示パネルフィールド期間では、画素に基準電圧ＶBを印加し、
　これにより、画像の表示とほぼ表示出力が生じない期間だけ分離するためのほぼ非透過（黒い）状態に駆動するように選択される予め定めた基準電圧ＶBを列導線１６の各々に印加することを１ＴＶ信号フィールド内で行うツイストネマチック液晶材料を用いたマトリックス表示システムの動作方法。」（以下、「引用例に記載された発明」という。）
  
第５．対比
　本願発明と引用例に記載された発明とを対比する。
（１）引用例に記載された発明の「ツイストネマチック液晶材料を用い、行および列のアレイを有する液晶ディスプレイシステムにおけるツイストネマチック液晶材料を用いたマトリックス表示システムの動作方法」は、本願発明の「ネマティック液晶を用いたドットマトリックス型の液晶表示装置におけるネマティック液晶の駆動方法」に相当する。
（２）引用例に記載された発明の「１ＴＶ信号フィールドを第１の表示パネルフィールド期間と第２の表示パネルフィールド期間とで構成し」は、本願発明の「１フレームを、第１の期間と第２の期間とに分け」に相当し、以下同様に、「第１の表示パネルフィールド期間では、画素が各々のＴＶフィールドに関する表示情報によってロードされ」は「第１の期間に画像を書き込むための電圧を前記ネマティック液晶に印加し」に、「第２の表示パネルフィールド期間では、画素に基準電圧ＶBを印加し」は「第２の期間に前記画像に関係のない一定の電圧を前記ネマティック液晶に印加し」に、それぞれ相当する。
（３）引用例に記載された発明の「画像の表示とほぼ表示出力が生じない期間だけ分離するためのほぼ非透過（黒い）状態に駆動するように選択される予め定めた基準電圧ＶBを列導線１６の各々に印加することを１ＴＶ信号フィールド内で行う」は、本願発明の「これによって液晶パネル上の画像の表示と消去を１フレーム内で行う」ことの上位概念である、「これによって液晶パネル上の画像の表示と該画像の表示とは異なる表示を１フレーム内で行う」との限りにおいて一致する。
　
　したがって、本願発明と引用例に記載された発明の両者は、　
＜一致点＞
「ネマティック液晶を用いたドットマトリックス型の液晶表示装置におけるネマティック液晶の駆動方法であって、
　１フレームを、第１の期間と第２の期間とに分け、
　前記第１の期間に画像を書き込むための電圧を前記ネマティック液晶に印加し、
　前記第２の期間に前記画像に関係のない一定の電圧を前記ネマティック液晶に印加し、
　これによって液晶パネル上の画像の表示と該画像の表示とは異なる表示を１フレーム内で行うネマティック液晶の駆動方法。」の点で一致し、以下の点で一応相違する。
　
＜一応の相違点＞
　本願発明では、該画像の表示とは異なる表示を、「消去」により行うのに対して、引用例に記載された発明では、そのことが明確ではない点。
　
第６．判断
　引用例には「ＴＶ信号フィールド周期の半分から成る表示情報アドレス期間内で１ＴＶフィールドに関するデータを表示パネル１０に書き込むのに続いて、画素の配列を、ＴＶ信号フィールド周期の残りの半分から成る期間内に再びアドレスしてほぼ非透過（黒い）状態に駆動する。・・・１ＴＶ信号フィールド周期において、・・・画素を液晶表示状態に駆動する表示情報アドレス期間と、それに続く、画素をほぼ非透過状態に駆動する時間間隔とが存在する」（前記第３．（１６））と記載されており、これによれば、引用例において「第２の表示パネルフィールド期間」では、ほぼ非透過（黒い）状態、即ち、消去状態に駆動されることが示されている。
　さらに、引用例には「図５（Ｄ）は、上述した方法において駆動される図１おおび２の表示パネル１０の出力の時間的な動作を説明する。・・・動いている物を示す表示出力は、半分の時間のみ保たれる、すなわちｔ1 がＦ／２以下であり、順次の表示出力間に期間ｔ2 が存在し、ｔ2はＦ／２以上であることが分かる。」（公報第２１頁第１８行〜第２１行）との記載がある。これによれば、引用例の「第１の表示パネルフィールド期間」においては動いている物を表示し「第２の表示パネルフィールド期間」においてはそれを表示しないものであるから、このことからも、第２の表示パネルフィールド期間は、表示がされない状態、すなわち、消去状態となっているものと解することができる。
　また、引用例の「画素を液晶表示状態に駆動する」ことが、画像データに応じた輝度を画素に表示することを意味することは明らかであることからすれば「画素をほぼ非透過状態に駆動する」ことが、「画素を液晶表示状態に駆動する」ことと同様に、実際に画素の光透過度を非透過状態とすること、即ち、実際に画素を消去することを意味すると解するのが自然であって、請求人が主張するように「画素をほぼ非透過状態に駆動する」ことが「実際に画素が非透過状態となるわけではなく「画素を非透過状態とする電圧で駆動する」ことを意味するものと解するのは合理的な解釈ではない。（なお、第５．判断に関しては、平成１９年（行ケ）第１０３１２号　審決取消請求事件（判決言渡　平成２０年３月３１日）に関する判決なども参酌されたい。）
　したがって、「ほぼ非透過（黒い）状態に駆動するように選択される予め定めた基準電圧ＶBを列導線１６の各々に印加すること」は、液晶パネル上の画像を消去していることに他ならないことから、上記一応の相違点は、実質的な相違点ではない。
　したがって、本願発明は、引用例に記載された発明である。
　
第７．むすび 
 　以上のとおり、本願発明は、引用例に記載された発明であるから、特許法第２９条第１項第３号に該当し、特許を受けることができない。 
 　よって、結論のとおり審決する。